(57)【要約】      （修正有）【課題】魚類の鱗を取る作業時に、作業中でも把持状態や鱗取り作業を変化させて負担や疲労感を軽減でき、作業能率を低下させない、うろこ取り具を提供する。【解決手段】魚類の鱗を削り取る道具であり、鱗取り部４ＵＡ１０と柄部４ＵＡ２０とで構成され、鱗取り部の形状は四角形に形成され、鱗取り部の先端部４ＵＡ１１と後端部４ＵＡ１２は四角形の角部になるように形成し、柄部の長さは人の拳三つ分程度に設計する。柄部の一端部には鱗取り部に固着される接続部４ＵＡ２２を形成し、柄部の他端部には把持部４ＵＡ２１を設け、把持部の端部には、細板状の把持部端部４ＵＡ２４を設け、接続部と把持部との間には湾曲形状部４ＵＡ２３を形成する。把持部の長さは人の拳二つ分程度とし、鱗取り部の任意の部位または少なくとも一部に、合成樹脂材料や合成ゴム材料を付着または被覆が選択できるように形成する。【選択図】図１
0003197211.tif 000002
【実用新案登録請求の範囲】
【請求項１】
魚類の鱗を削り取る道具であり、略平板状の鱗取り部と柄部とで構成される鱗取り具において、前記鱗取り部は防錆性金属で構成され、前記柄部は防錆性金属で構成され、前記柄部の形状は棒状体や細長板体から選択され、前記柄部の長さは人の拳三つ分程度になるように設計され、前記鱗取り部の形状は略多角形で形成され、前記柄部は把持部と接続部で形成され、前記把持部と前記接続部は略クランク形状または略湾曲形状に形成され、前記把持部の長さは人の拳二つ分程度になるように形成され、前記鱗取り部の任意の部位または少なくとも一部に、合成樹脂材料や合成ゴム材料を付着または被覆が選択できるように形成すること、を特徴とするうろこ取り具。
【請求項２】
前記うろこ取り具において、前記鱗取り部形状が先端部と後端部で形成されている場合には、前記先端部又は前記後端部が略直線状に形成されることを特徴とする請求項１に記載のうろこ取り具。
【請求項３】
前記鱗取り部の少なくとも一部、又は前記鱗取り部の略全体に、合成樹脂材料や合成ゴム材料が被装される場合には、前記鱗取り部の任意部位に少なくとも一つの孔部を、又は前記鱗取り部の任意部位に少なくとも一つの凹部を、又は前記鱗取り部の任意部位に少なくとも一つの凸部を、又は前記鱗取り部の任意部位に任意数の孔部や凹部や凸部を組合せて、形成させることを特徴とする請求項１または請求項２に記載のうろこ取り具。
【請求項４】
前記うろこ取り具において、前記柄部に棒状体を選択した場合には、前記柄部の一端部には前記鱗取り部と固着される接続部が形成され、前記柄部の他端部には把持部が設けられ、前記把持部の端部が細板状に形成されることを特徴とする請求項１から請求項３のいずれかに記載のうろこ取り具。
【請求項５】
前記うろこ取り具において、前記柄部に細長板体を選択した場合には、前記柄部の一端部には前記鱗取り部と固着される接続部が形成され、前記柄部の他端部には把持部が設けられ、前記把持部の形状は略楕円形状に形成され、前記把持部の端部には孔部を形成することを特徴とする請求項１から請求項３のいずれかに記載のうろこ取り具。
【請求項６】
前記うろこ取り具において、前記柄部に細長板体を選択した場合には、前記柄部の先端部として接続部が形成されその形状は略長方形状に形成され、前記柄部の後端部には把持部が形成される手段として、前記柄部後端部の形状を、細長板体を略湾曲形状に形成する部位と略波形状に形成する部位で連設するように形成することを特徴とする、請求項１から請求項３のいずれかに記載のうろこ取り具。
【考案の詳細な説明】
【技術分野】
【０００１】  本考案は、魚類の鱗を削り取る道具であり、鱗取り部と柄部とで構成される鱗取り具に関するものである。
【背景技術】
【０００２】  従来から、魚類の鱗を削り取る道具は一般的に用いられ、また種々なタイプの鱗取り具が市販されており、また様々な鱗取り具が存在する。ところが、これだけ従来から、種々なタイプの鱗取り具が市販されており、また様々な鱗取り具が存在するにも関わらず、一般的な主婦や一般的な料理愛好家にとっては鱗取りに熟練を要し苦手にしている人が多いという報告があり、さらに職業としての料理人などでも上手に鱗取りをすることが出来なかったり、鱗取りに相当な時間を要するという声が多い。例えば、料理人レベルでも、例えばうろこのうち所謂“ぜいご”の部分や、魚の頭・鰓の近くなどの部分にある硬いうろこを掻き剥がすのは大変な労力がかかるという報告がなされている。したがって、いまだに種々なタイプの鱗取り具が開発されつづけている。【０００３】  例えば、従来の開発案件の中での一例として、把手部を持って鱗取部の擦取部を魚の表皮に当接し、魚の表皮に沿って鱗取方向に擦動させることにより魚の表皮に重なって覆っている鱗を取り去ることができることを課題とし、その解決手段として、把手部１及び鱗取部２からなり、上記鱗取部は上記把手部に連結された芯材部３及び該芯材部に被装された弾性体からなる擦取部４からなることを特徴とする魚の鱗取り器が知られている。（特許文献１を参照する）
また、この種の魚鱗取り具として、把手部及び鱗取部からなり、鱗取部の底面に魚の表皮に擦接可能な擦接面が形成され、鱗取部に魚の表皮と表皮に重なって覆っている鱗との間に侵入可能な先下り状の擦取面が形成されて隣り合う擦取面からなる四対の擦取分断角部が形成されてなる構造のものが知られている。（特許文献１を参照する）
そこで、本願の出願人は、鱗取り具の商品化を企画した結果、特許文献１の開発案件である「魚の鱗取り器」を採用することになり、発明者であり特許権者である、宮田郁夫氏と特許文献１の権利を買い取る交渉を行い、所定の手続きとして、まず特許第３７９３９５９号の「譲渡証書」を平成２６年１２月２０日付けで譲渡人（宮田郁夫）と譲受人（有限会社片力商事）が夫々に押印手続きを終了した後に、特許第３７９３９５９号の「特許権移転登録申請書」を平成２７年１月２４日付けで郵便局を介して特許庁に提出し、特許第３７９３９５９号及び発明の名称「魚の鱗取り器」は本願の出願人が権利を承継した。【０００４】  また本願の出願人は、前記「譲渡証書」の手続きが完了した平成２６年１２月２０日から、前記「特許権移転登録申請書」を平成２７年１月２４日付けで特許庁に提出するまでの間に、特許文献１を基にした鱗取り具の試作を試みていたところ、何点かの改良点の必要性を見出していたので、改良案の参考にするために、従来の開発案件の中から、魚類の鱗を削り取る鱗取り部と柄部とで構成される鱗取り具に関しての調査を実施し、以下の開発案件を参照することにした。【０００５】  例えば、特許文献２の特徴として、うろこ取り部２の形状が略三角形をしており、３辺どの方向でもうろこを掻くことができるものとなっている。
また例えば、特許文献３の特徴として、鱗取部２が芯材部分３と弾性体４を備えているが、“鱗取部２”が略凹面状となっており魚の体表面に沿いやすいよう工夫がされている。
また例えば、特許文献４の特徴として、本体（１）の形状を、直径４０〜１５０ｍｍの円形底に形成し、該円形底の縁と側面との角度（ａ）を、３０〜５０度に形成して刃部とし、該刃の角度を高さ１５〜４０ｍｍの円錐台形状に形成することで、本体（１）のどの部位でもが均等にうろこを掻くことができるものとなっている。
また例えば、特許文献５の特徴として、鱗取り部と把持部からなる鱗取り具であって、該鱗取り部における少なくとも先端部に刃部が形成され、且つ魚の胴体に沿うか或いは略沿うように上向き湾曲状に形成されていることを特徴とするものとなっている。【０００６】
【特許文献１】特許第３７９３９５９号公報
【特許文献２】実用新案登録第３０３２４９０号公報
【特許文献３】特開２００６−１７５０８５号公報
【特許文献４】特開２００４−２９００４６号公報
【特許文献５】特開平５−１９９９４５号公報
【考案の開示】
【考案が解決しようとする課題】
【０００７】  上記従来のうろこ取り具にはそれぞれ下記のような問題がある。
例えば、特許文献１及び特許文献３の把手部の構造では、把手部の長さが「拳一つ」または「一握り」分程度しかなく、そのために魚の鱗取り作業が長時間に及ぶ場合や、大小の魚が混合した状態での鱗取り作業の場合には、魚の鱗取り作業中での把手状態を変化させることが難しいので、良好な鱗取り作業を継続するには疲労感が大きくなったり、作業能率を低下させることがあるという報告を受けている。
また例えば、特許文献２の取っ手部及び特許文献４の握持柄部の構造では、取っ手部や握持柄部の形状が「拳一つ」または「一握り」分程度しかなく、そのために魚のうろこを取る作業が長時間に及ぶ場合や、大小の魚が混合した状態でのうろこ取り作業の場合には、魚のうろこを取る作業中での把手状態を変化させることが難しいので、良好にうろこを取る作業を継続するには疲労感が大きくなったり、作業能率を低下させることがあるという報告を受けている。
また例えば、特許文献５の鱗取り部の構造では、先端部に形成した刃部が２種類しかないので、大小の魚が混合した状態での鱗取り作業の場合には、魚の大小の変化や鱗のサイズの変化への対応が難しいという報告を受けている。【０００８】  本考案は、上記の課題を解決するために成されたものであり、魚類の鱗を取る作業時に、把持状態や鱗取り作業を変化させることで、長時間の作業や、大小の魚が混合した状態での鱗取り作業の場合でも、作業者の負担や疲労感を軽減し、作業能率を低下させたりしない、うろこ取り具の提供を目的とする。
【課題を解決するための手段】
【００１０】  請求項１記載の考案より課題を解決するための第一の手段は、魚類の鱗を削り取る道具であり、略平板状の鱗取り部と柄部とで構成される鱗取り具において、前記鱗取り部は防錆性金属で構成され、前記柄部は防錆性金属で構成され、前記柄部の形状は棒状体や細長板体から選択され、前記柄部の長さは人の拳三つ分程度になるように設計され、前記鱗取り部の形状は略多角形で形成され、前記柄部は把持部と接続部で形成され、前記把持部と前記接続部は略クランク形状または略湾曲形状に形成され、前記把持部の長さは人の拳二つ分程度になるように形成され、前記鱗取り部の任意の部位または少なくとも一部に、合成樹脂材料や合成ゴム材料を付着または被覆が選択できるように形成すること、を特徴とするうろこ取り具を提供することである。【００１１】  前記第一の手段で記述した前記鱗取り部は防錆性金属で構成されることに関しては、前記鱗取り部の素材は、例えば、亜鉛メッキ処理を施した鉄、ステンレス鋼、鉄とニッケルの合金、鉄とクロムの合金、鉄とニッケル及びクロムの合金、アルミニウム合金であり、これらから選ばれたものである。
前記第一の手段で記述した前記柄部は防錆性金属で構成されることに関しては、前記鱗取り部の素材は、例えば、亜鉛メッキ処理を施した鉄、ステンレス鋼、鉄とニッケルの合金、鉄とクロムの合金、鉄とニッケル及びクロムの合金、アルミニウム合金であり、これらから選ばれたものである。
前記第一の手段で記述した前記鱗取り部の形状は略多角形で形成されることに関しては、四角形、五角形、六角形、の中から選択することが好ましい。また、四角形に関しては、正四角形、長方形、台形、平行四辺形、菱形、などの中から選択して用いればよい。また前記鱗取り部に関しては、前記防錆性金属で薄板材の使用が好ましく、この薄板材は魚の鱗を剥離、除去する際、刃としての役割を果すものであり、従って、鱗取り部の厚さは魚の鱗を取る際に支障の無い範囲であれば特に限定されるものではなく、用いられる材質によっても異なるが、一般に厚さが１ｍｍ以上、特に３ｍｍ以下のものが望ましい。また前記鱗取り部に関しては、可撓性はあってもなくても構わないものとする。【００１２】  前記第一の手段で記述した前記鱗取り部の任意の部位または少なくとも一部に、合成樹脂材料や合成ゴム材料を付着または被覆できるように形成することに関しては、本考案の出願人は、本考案のうろこ取り具が、合成樹脂材料や合成ゴム材料を付着または被覆していない状態でも、すなわち前記防錆性金属で薄板材のままでも十分に鱗を削り取る能力を備えていることを見出した。
また本考案の出願人は、本考案のうろこ取り具が、前記鱗取り部の任意の部位または少なくとも一部に、例えば、前記鱗取り部の表面積の略１０％程度に合成樹脂材料や合成ゴム材料を付着または被覆した状態に形成しても、十分に鱗を削り取る能力を備えていることを見出した。
また本考案の出願人は、本考案のうろこ取り具が、前記鱗取り部の任意の部位または少なくとも一部に、例えば、前記鱗取り部の表面積の略２０％程度に合成樹脂材料や合成ゴム材料を付着または被覆した状態に形成しても、十分に鱗を削り取る能力を備えていることを見出した。
また本考案の出願人は、本考案のうろこ取り具が、前記鱗取り部の任意の部位または少なくとも一部に、例えば、前記鱗取り部の表面積の略３０％程度に合成樹脂材料や合成ゴム材料を付着または被覆した状態に形成しても、十分に鱗を削り取る能力を備えていることを見出した。
また本考案の出願人は、本考案のうろこ取り具が、前記鱗取り部の任意の部位または少なくとも一部に、例えば、前記鱗取り部の表面積の略４０％程度に合成樹脂材料や合成ゴム材料を付着または被覆した状態に形成しても、十分に鱗を削り取る能力を備えていることを見出した。
また本考案の出願人は、本考案のうろこ取り具が、前記鱗取り部の任意の部位または少なくとも一部に、例えば、前記鱗取り部の表面積の略５０％程度に合成樹脂材料や合成ゴム材料を付着または被覆した状態に形成しても、十分に鱗を削り取る能力を備えていることを見出した。
また本考案の出願人は、本考案のうろこ取り具が、前記鱗取り部の任意の部位または少なくとも一部に、例えば、前記鱗取り部の表面積の略６０％程度に合成樹脂材料や合成ゴム材料を付着または被覆した状態に形成しても、十分に鱗を削り取る能力を備えていることを見出した。
また本考案の出願人は、本考案のうろこ取り具が、前記鱗取り部の任意の部位または少なくとも一部に、例えば、前記鱗取り部の表面積の略７０％程度に合成樹脂材料や合成ゴム材料を付着または被覆した状態に形成しても、十分に鱗を削り取る能力を備えていることを見出した。
また本考案の出願人は、本考案のうろこ取り具が、前記鱗取り部の任意の部位または少なくとも一部に、例えば、前記鱗取り部の表面積の略８０％程度に合成樹脂材料や合成ゴム材料を付着または被覆した状態に形成しても、十分に鱗を削り取る能力を備えていることを見出した。
また本考案の出願人は、本考案のうろこ取り具が、前記鱗取り部の任意の部位または少なくとも一部に、例えば、前記鱗取り部の表面積の略９０％程度に合成樹脂材料や合成ゴム材料を付着または被覆した状態に形成しても、十分に鱗を削り取る能力を備えていることを見出した。
また本考案の出願人は、本考案のうろこ取り具が、前記鱗取り部の任意の部位または少なくとも一部に、例えば、前記鱗取り部の表面積の略１００％程度に合成樹脂材料や合成ゴム材料を付着または被覆した状態に形成することで、相当に鱗を削り取る能力を備えていることを見出した。【００１３】  請求項２記載の考案より課題を解決するための第二の手段は、前記うろこ取り具において、前記鱗取り部形状が先端部と後端部で形成されている場合には、前記先端部又は前記後端部が略直線状に形成されることを特徴とする請求項１及び課題を解決するための第一の手段に記載のうろこ取り具を提供することである。【００１４】  前記第二の手段で記述した前記鱗取り部形状が先端部と後端部で形成されている場合に前記先端部又は前記後端部が略直線状に形成されることに関しては、例えば、前記鱗取り部の形状に四角形を選択すると、四角形は角度部と直線部で形成されているので、前記先端部に四角形角度部を配置し前記後端部を略直線状に形成することで、前記鱗取り部の形状は五角形になることになる。また前記後端部に四角形角度部を配置し前記先端部を略直線状に形成することで、前記鱗取り部の形状は五角形になることになる。【００１５】  請求項３記載の考案より課題を解決するための第三の手段は、前記鱗取り部の少なくとも一部、又は前記鱗取り部の略全体に、合成樹脂材料や合成ゴム材料が被装される場合には、前記鱗取り部の任意部位に少なくとも一つの孔部を、又は前記鱗取り部の任意部位に少なくとも一つの凹部を、又は前記鱗取り部の任意部位に少なくとも一つの凸部を、又は前記鱗取り部の任意部位に任意数の孔部や凹部や凸部を組合せて、形成させることを特徴とする請求項１及び課題を解決するための第一の手段または請求項２及び課題を解決するための第二の手段に記載のうろこ取り具を提供することである。【００１６】  前記第三の手段で記述した前記鱗取り部の任意部位に少なくとも一つの孔部を形成させることは、本願出願人が本考案の試作・研究中に、前記鱗取り部の少なくとも一部、又は前記鱗取り部の略全体に、合成樹脂材料や合成ゴム材料が被装されるプロセスの途中で前記孔部に合成樹脂材料や合成ゴム材料が干渉及び関係する作用を生じ、その結果、前記鱗取り部の少なくとも一部、又は前記鱗取り部の略全体に、合成樹脂材料や合成ゴム材料がより強力に及び効果的に被装されることを見出した。
前記第三の手段で記述した前記鱗取り部の任意部位に少なくとも一つの凹部を形成させることは、本願出願人が本考案の試作・研究中に、前記鱗取り部の少なくとも一部、又は前記鱗取り部の略全体に、合成樹脂材料や合成ゴム材料が被装されるプロセスの途中で前記凹部に合成樹脂材料や合成ゴム材料が干渉及び関係する作用を生じ、その結果、前記鱗取り部の少なくとも一部、又は前記鱗取り部の略全体に、合成樹脂材料や合成ゴム材料がより強力に及び効果的に被装されることを見出した。
前記第三の手段で記述した前記鱗取り部の任意部位に少なくとも一つの凸部を形成させることは、本願出願人が本考案の試作・研究中に、前記鱗取り部の少なくとも一部、又は前記鱗取り部の略全体に、合成樹脂材料や合成ゴム材料が被装されるプロセスの途中で前記凸部に合成樹脂材料や合成ゴム材料が干渉及び関係する作用を生じ、その結果、前記鱗取り部の少なくとも一部、又は前記鱗取り部の略全体に、合成樹脂材料や合成ゴム材料がより強力に及び効果的に被装されることを見出した。【００１７】  請求項４記載の考案より課題を解決するための第四の手段は、前記うろこ取り具において、前記柄部に棒状体を選択した場合には、前記柄部の一端部には前記鱗取り部と固着される接続部が形成され、前記柄部の他端部には把持部が設けられ、前記把持部の端部が細板状に形成されることを特徴とする、請求項１及び課題を解決するための第一の手段から請求項３及び課題を解決するための第三の手段のいずれかに記載のうろこ取り具を提供することである。【００１８】  前記第四の手段で記述した前記柄部の他端部には把持部が設けられ、前記把持部の端部が細板状に形成されることで、本考案のうろこ取り具が、前記柄部に、合成樹脂材料や合成ゴム材料を付着または被覆させることをしなくとも、前記把持部端部は十分に把持効果を備えていることを、本願出願人が本考案の試作・研究中に、見出したものである。
また、前記第四の手段で記述した前記柄部の他端部には把持部が設けられ、前記把持部の端部が細板状に形成されることは、例えば、前記柄部に合成樹脂材料や合成ゴム材料を付着または被覆させる場合には、前記端部細板状が合成樹脂材料や合成ゴム材料と干渉及び関係する作用を生じ、その結果、前記柄部に、合成樹脂材料や合成ゴム材料がより強力に及び効果的に被装されることを、本願出願人が本考案の試作・研究中に、見出したものである。【００１９】  請求項５記載の考案より課題を解決するための第五の手段は、前記うろこ取り具において、前記柄部に細長板体を選択した場合には、前記柄部の一端部には前記鱗取り部と固着される接続部が形成され、前記柄部の他端部には把持部が設けられ、前記把持部の形状は略楕円形状に形成され、前記把持部の端部には孔部を形成することを特徴とする請求項１及び課題を解決するための第一の手段から請求項３及び課題を解決するための第三の手段のいずれかに記載のうろこ取り具を提供することである。【００２０】  前記第五の手段で記述した前記柄部の他端部には把持部が設けられ、前記把持部の形状は略楕円形状に形成されることに関しては、請求項５記載の考案及び課題を解決するための第五の手段で記述したうろこ取り具は、前記柄部に、合成樹脂材料や合成ゴム材料を付着または被覆させずに製品化した場合であり、すなわち前記柄部に細長板体を用いて把持部を構成しようという場合に、前記把持部端部の形状を略楕円形状に形成させることで、前記把持部端部は十分な把持効果を備えたことを、本願出願人が本考案の試作・研究中に、見出したものである。
前記第五の手段で記述した前記把持部端部には孔部を形成することで、本考案のうろこ取り具を、収納したり、片付けたりする場合に、前記把持部端部の任意の部位に、一般的に用いられている収納場所のフックや片付けたりする場所のフックの寸法に合わせた十分な寸法の孔部を形成することで、本考案のうろこ取り具を、収納したり、片付けたりすることが容易になることを、本願出願人が本考案の試作・研究中に、見出したものである。【００２１】  請求項６記載の考案より課題を解決するための第六の手段は、前記うろこ取り具において、前記柄部に細長板体を選択した場合には、前記柄部の先端部として接続部が形成されその形状は略長方形状に形成され、前記柄部の後端部には把持部が形成される手段として、前記柄部後端部の形状を、細長板体を略湾曲形状に形成する部位と略波形状に形成する部位で連設するように形成することを特徴とする、請求項１及び課題を解決するための第一の手段から請求項３及び課題を解決するための第三の手段のいずれかに記載のうろこ取り具を提供することである。【００２２】  前記第六の手段で記述した前記柄部に細長板体を選択した場合には、前記柄部の先端部として接続部が形成されその形状は略長方形状に形成され、前記柄部の後端部には把持部が形成される手段として、前記柄部後端部の形状を、細長板体を略湾曲状に形成する部位と略波形状に形成する部位で連設するように形成することに関しては、前記柄部後端部が細長板体のみで形成される場合に比べて、所定長さの細長板体を所定部位で略湾曲状に形成して前記柄部後端部が所定位置まで延長されることで、把持部がアルファベットのＵ字形状に形成されることになる。すなわち把持部がＵ字形状に形成されることで、前記柄部に合成樹脂材料や合成ゴム材料を付着または被覆させずに製品化した場合でも前記柄部は把持部として十分な把持機能を得ることができる。さらに、所定位置まで延長された柄部後端部を略波形状に形成することで指のグリップ力やフィット感が向上し、前記柄部は把持部としてさらに十分な把持機能を得ることができるのである。すなわち、前記第六の手段で記述した前記柄部は、柄部が直線形状の部位と略湾曲形状の部位と略波形状の部位で連設されたＵ字形状で形成することを特徴とする。
【考案の効果】
【００２３】  本考案のうろこ取り具によって、以下の効果が可能になる。
請求項１記載の考案より課題を解決するための第一の手段に示された鱗取り部の形状が略多角形で形成されることで、例えば前記鱗取り部の形状が四角形の場合は、角度部が４か所、直線部が４か所、あるうろこ取り具を提供でき、例えば前記鱗取り部の形状が五角形の場合は、角度部が５か所、直線部が５か所、あるうろこ取り具を提供でき、例えば前記鱗取り部の形状が六角形の場合は、角度部が６か所、直線部が６か所、ある鱗取り部を選択できることで、魚介の種類や魚体のサイズに合わせた、うろこ取り具を提供できる。また、前記鱗取り部の形状が四角形の場合でも、前記鱗取り部の形状が、正四角形、長方形、台形、平行四辺形、菱形、などから選択することで、魚介の種類や魚体のサイズに合わせ、使い勝手の良いうろこ取り具を提供できる。【００２４】  請求項１記載の考案より課題を解決するための第一の手段に示された鱗取り部の任意の部位または少なくとも一部に、合成樹脂材料や合成ゴム材料を付着または被覆していない状態でも、すなわち前記防錆性金属で薄板材のままでも十分に鱗を削り取る能力を備えた、うろこ取り具を提供できる。また例えば、本考案のうろこ取り具が、前記鱗取り部の任意の部位または少なくとも一部に、例えば前記鱗取り部の表面積の略１０％程度の、例えば前記鱗取り部の表面積の略２０％程度の、例えば前記鱗取り部の表面積の略３０％程度の、例えば前記鱗取り部の表面積の略４０％程度の、例えば前記鱗取り部の表面積の略５０％程度の、例えば前記鱗取り部の表面積の略６０％程度の、例えば前記鱗取り部の表面積の略７０％程度の、例えば前記鱗取り部の表面積の略８０％程度の、例えば前記鱗取り部の表面積の略９０％程度の、合成樹脂材料や合成ゴム材料の付着または被覆した状態に形成しても、十分に鱗を削り取る能力を備えた、うろこ取り具を提供できる。また例えば、本考案のうろこ取り具が、前記鱗取り部の任意の部位または少なくとも一部に、例えば、前記鱗取り部の表面積の略１００％程度に合成樹脂材料や合成ゴム材料を付着または被覆した状態に形成することで、相当に鱗を削り取る能力を備えた、うろこ取り具を提供できる。【００２５】  請求項１記載の考案より課題を解決するための第一の手段に示された把持部の長さを人の拳二つ分程度になるように形成されることで、魚類の鱗を取る作業時に、把持状態を変化させることや、鱗取り作業を変化させることが可能になるので、長時間の作業や、大小の魚が混合した状態での鱗取り作業の場合でも、作業者の負担や疲労感を軽減し、作業能率を低下させたりしない、うろこ取り具を提供できる。【００２６】  前記第三の手段で記述した鱗取り部の任意部位に少なくとも一つの孔部を形成させること、または前記鱗取り部の任意部位に少なくとも一つの凹部を形成させること、または前記鱗取り部の任意部位に少なくとも一つの凸部を形成させることによって、前記鱗取り部の少なくとも一部、又は前記鱗取り部の略全体に、合成樹脂材料や合成ゴム材料が被装されるプロセスの途中で前記孔部に合成樹脂材料や合成ゴム材料が干渉及び関係する作用を生じ、その結果、前記鱗取り部の少なくとも一部、又は前記鱗取り部の略全体に、合成樹脂材料や合成ゴム材料がより強力に及び効果的に被装される、うろこ取り具を提供できる。【００２７】  請求項４記載の考案より課題を解決するための第四の手段に示された柄部の他端部には把持部が設けられ、前記把持部の端部が細板状に形成されることで、前記柄部に、合成樹脂材料や合成ゴム材料を付着または被覆させなくとも、前記把持部端部は十分に把持効果を備えていることで、本考案の目的を達成しつつ、十分な耐久性を保持しながら、安価な価格で製造可能なうろこ取り具を提供できる。また、前記把持部の端部が細板状に形成することは、例えば、前記柄部に合成樹脂材料や合成ゴム材料を付着または被覆させる場合には、前記端部細板状が合成樹脂材料や合成ゴム材料と干渉及び関係する作用を生じるので、前記柄部に、合成樹脂材料や合成ゴム材料がより強力に及び効果的に被装されることで、把持状態や鱗取り作業を変化させることが可能になり、その結果、長時間の作業や、大小の魚が混合した状態での鱗取り作業の場合でも、作業者の負担や疲労感を軽減し、作業能率を低下させたりしない、うろこ取り具を提供できる。【００２８】  請求項５記載の考案より課題を解決するための第五の手段に示された、把持部の略楕円形状によって、前記把持部に合成樹脂材料や合成ゴム材料を付着または被覆させずに製品化した場合でも、前記把持部端部は十分な把持効果を備えているので、長時間の作業や、大小の魚が混合した状態での鱗取り作業の場合でも、作業者の負担や疲労感を軽減し、作業能率を低下させない、うろこ取り具を提供できる。また、前記把持部端部には孔部を形成することで、本考案のうろこ取り具を、収納したり、片付けたりする場合に、前記孔部に対応するフックや吊下げ用金具を用いることで、収納したり、片付けたりすることが容易になる、うろこ取り具を提供できる。【００２９】  請求項６記載の考案より課題を解決するための第六の手段に示された、Ｕ字形状に形成された把持部の形状によって、及びＵ字形状の一部に波形状が連設されている形状によって、指のグリップ力やフィット感が向上し、たとえ、前記把持部が合成樹脂材料や合成ゴム材料を付着または被覆されてなくとも十分な把持機能を得ることができるので、長時間の作業や、大小の魚が混合した状態での鱗取り作業の場合でも、作業者の負担や疲労感を軽減し作業能率を低下させない、うろこ取り具を提供できる。
【考案を実施するための最良の形態】
【００３０】  以下、本考案の実施の形態について、図１〜図１０に基づいて説明する。
図１は本考案の第一形態例を示す概略説明図である。図２は本考案の第二形態例を示す概略説明図である。図３は本考案の第三形態例を示す概略説明図である。図４は本考案の第四形態例を示す概略説明図である。図５は本考案の第五形態例を示す概略説明図である。図６は本考案の第六形態例を示す概略説明図である。図７は本考案の第七形態例を示す概略説明図である。図８は本考案の第八形態例を示す概略説明図である。図９は本考案の第九形態例を示す概略説明図である。図１０は本考案の第十形態例を示す概略説明図である。
【実施例１】
【００３１】  図１より本考案の第一形態例を説明すると、４ＵＡは、魚類の鱗を削り取る道具であり、ステンレス製で平板状の鱗取り部４ＵＡ１０とステンレス製で棒状体の柄部４ＵＡ２０とで構成されるうろこ取り具である。鱗取り部４ＵＡ１０の形状は四角形になるように形成され、厚さが１〜２ｍｍの範囲で可撓性が比較的ないように選択され、４ＵＡ１１は鱗取り部４ＵＡ１０の先端部であり、鱗取り部先端部４ＵＡ１１は四角形状の角度部になるように形成し、４ＵＡ１２は鱗取り部４ＵＡ１０の後端部であり、鱗取り部後端部４ＵＡ１２は四角形状の角度部になるように形成する。柄部４ＵＡ２０はステンレス製の棒状体を比較的可撓性がないような寸法から選択され、柄部４ＵＡ２０の長さは人の拳三つ分程度になるように設計され、また柄部４ＵＡ２０の一端部には鱗取り部４ＵＡ１０の任意の部位に固着される接続部４ＵＡ２２が形成され、この実施例では接続部４ＵＡ２２の形状は鱗取り部４ＵＡ１０に固着されやすいように平板状に形成され、また柄部４ＵＡ２０の他端部には把持部４ＵＡ２１が設けられ、把持部４ＵＡ２１の端部には、うろこ取り具４ＵＡの利用者が把持部４ＵＡ２１を把持した時の滑り止め機能として細板状に形成される把持部端部４ＵＡ２４が設けられる。従って、把持部４ＵＡ２１の長さは人の拳二つ分程度になるように設計されることが好ましい。また、接続部４ＵＡ２２と把持部４ＵＡ２１との間にはクランク形状部または湾曲形状部が形成されることが好ましく、この実施例では湾曲形状部４ＵＡ２３が形成される。
【実施例２】
【００３２】  図２より本考案の第二形態例を説明すると、４ＵＢは、魚類の鱗を削り取る道具であり、ステンレス製で平板状の鱗取り部４ＵＢ１０とステンレス製で細長薄板状の柄部４ＵＢ２０とで構成されるうろこ取り具である。鱗取り部４ＵＢ１０の形状は四角形になるように形成され、厚さが１〜２ｍｍの範囲で可撓性が比較的ないように選択され、４ＵＢ１１は鱗取り部４ＵＢ１０の先端部であり、鱗取り部先端部４ＵＢ１１は四角形状の角度部になるように形成し、４ＵＢ１２は鱗取り部４ＵＢ１０の後端部であり、鱗取り部後端部４ＵＢ１２は四角形状の角度部になるように形成する。柄部４ＵＢ２０はステンレス製の細長板体を比較的可撓性がないような寸法から選択され、柄部４ＵＢ２０の長さは人の拳三つ分程度になるように設計され、柄部４ＵＢ２０の一端部には鱗取り部４ＵＢ１０の任意の部位に固着される接続部４ＵＢ２２が形成され、この実施例では接続部４ＵＢ２２の形状は鱗取り部４ＵＢ１０に固着されやすいように平板状に形成され、柄部４ＵＢ２０の他端部には把持部４ＵＢ２１が設けられ、把持部４ＵＢ２１の形状は把持機能を向上させることや十分な把持効果を備えることを目的に略楕円形状４ＵＢ２４に形成され、把持部４ＵＢ２１の端部には孔部４ＵＢ２５を形成する。また、把持部４ＵＢ２１の長さは人の拳二つ分程度になるように設計されることが好ましい。また、接続部４ＵＢ２２と把持部４ＵＢ２１との間にはクランク形状部または湾曲形状部が形成されることが好ましく、この実施例ではクランク形状部４ＵＢ２３が形成される。
【実施例３】
【００３３】  図３より本考案の第三形態例を説明すると、４ＵＣは、魚類の鱗を削り取る道具であり、ステンレス製で平板状の鱗取り部４ＵＣ１０とステンレス製で細長薄板状の柄部４ＵＣ２０とで構成されるうろこ取り具である。鱗取り部４ＵＣ１０の形状は四角形になるように形成され、厚さが１〜２ｍｍの範囲で可撓性が比較的ないように選択され、４ＵＣ１１は鱗取り部４ＵＣ１０の先端部であり、鱗取り部先端部４ＵＣ１１は四角形状の角度部になるように形成し、４ＵＣ１２は鱗取り部４ＵＣ１０の後端部であり、鱗取り部後端部４ＵＣ１２は四角形状の角度部になるように形成する。柄部４ＵＣ２０はステンレス製の細長板体を比較的可撓性がないような寸法から選択され、柄部４ＵＣ２０の一端部には鱗取り部４ＵＣ１０の任意の部位に固着される接続部４ＵＣ２２が形成され、この実施例では接続部４ＵＣ２２の形状は鱗取り部４ＵＣ１０に固着されやすいように平板状に形成される。柄部４ＵＣ２０の他端部には把持部４ＵＣ２１が設けられ、把持部４ＵＣ２１が形成される手段は、把持部４ＵＣ２１の直線部として人の掌二つ分程度に設計された把持部直線部４ＵＣ２４と、柄部４ＵＣ２０の細長板体を略湾曲状に形成した湾曲状部４ＵＣ２５と、柄部４ＵＣ２０の細長板体を略波形状に形成した波形状部４ＵＣ２６で連設するように形成することで把持機能を向上させることや十分な把持効果を備えることを特徴とする。また、接続部４ＵＣ２２と把持部４ＵＣ２１との間にはクランク形状部または湾曲形状部が形成されることが好ましく、この実施例ではクランク形状部４ＵＣ２３が形成される。
【実施例４】
【００３４】  図４より本考案の第四形態例を説明すると、５ＵＡは、魚類の鱗を削り取る道具であり、ステンレス製で平板状の鱗取り部５ＵＡ１０とステンレス製で棒状体の柄部５ＵＡ２０とで構成されるうろこ取り具である。鱗取り部５ＵＡ１０の厚さは、この実施例では、１〜２ｍｍの範囲で可撓性が比較的ないようにという条件で選択される。５ＵＡ１１は鱗取り部５ＵＡ１０の先端部であり、鱗取り部先端部５ＵＡ１１の形状は略９０度の角度になるように形成され、５ＵＡ１２は鱗取り部５ＵＡ１０の後端部であり、鱗取り部後端部５ＵＡ１２の形状は略直線状に形成される。従って、鱗取り部先端部５ＵＡ１１と鱗取り部後端部５ＵＡ１２とは対向する位置関係になるので、鱗取り部後端部５ＵＡ１２の形状が略直線状になることは、実施例１の鱗取り部後端部４ＵＡ１２の四角形状の角度部を削除した形状になり、結果的に鱗取り部５ＵＡ１０の形状は五角形になることになる。柄部５ＵＡ２０はステンレス製の棒状体を比較的可撓性がないような寸法から選択され、柄部５ＵＡ２０の長さは人の拳三つ分程度になるように設計され、また柄部５ＵＡ２０の一端部には鱗取り部５ＵＡ１０の任意の部位に固着される接続部５ＵＡ２２が形成され、この実施例では接続部５ＵＡ２２の形状は鱗取り部５ＵＡ１０に固着されやすいように平板状に形成され、また柄部５ＵＡ２０の他端部には把持部５ＵＡ２１が設けられ、把持部５ＵＡ２１の端部には、うろこ取り具５ＵＡの利用者が把持部５ＵＡ２１を把持した時の滑り止め機能として細板状に形成される把持部端部５ＵＡ２４が設けられる。従って、把持部５ＵＡ２１の長さは人の拳二つ分程度になるように設計されることが好ましい。また、接続部５ＵＡ２２と把持部５ＵＡ２１との間にはクランク形状部または湾曲形状部が形成されることが好ましく、この実施例では湾曲形状部５ＵＡ２３が形成される。
【実施例５】
【００３５】  図５より本考案の第五形態例を説明すると、５ＵＢは、魚類の鱗を削り取る道具であり、ステンレス製で平板状の鱗取り部５ＵＢ１０とステンレス製で細長板体の柄部５ＵＢ２０とで構成されるうろこ取り具である。鱗取り部５ＵＢ１０の厚さは、この実施例では、１〜２ｍｍの範囲で可撓性が比較的ないようにという条件で選択される。５ＵＢ１１は鱗取り部５ＵＢ１０の先端部であり、鱗取り部先端部５ＵＢ１１の形状は略９０度の角度になるように形成され、５ＵＢ１２は鱗取り部５ＵＢ１０の後端部であり、鱗取り部後端部５ＵＢ１２の形状は略直線状に形成される。従って、鱗取り部先端部５ＵＢ１１と鱗取り部後端部５ＵＢ１２とは対向する位置関係になるので、鱗取り部後端部５ＵＢ１２の形状が略直線状になることは、実施例１の鱗取り部後端部４ＵＡ１２の四角形状の角度部を削除した形状になり、結果的に鱗取り部５ＵＢ１０の形状は五角形になることになる。柄部５ＵＢ２０はステンレス製の細長板体を比較的可撓性がないような寸法から選択され、柄部５ＵＢ２０の長さは人の拳三つ分程度になるように設計され、柄部５ＵＢ２０の一端部には鱗取り部５ＵＢ１０の任意の部位に固着される接続部５ＵＢ２２が形成され、この実施例では接続部５ＵＢ２２の形状は鱗取り部５ＵＢ１０に固着されやすいように平板状に形成され、柄部５ＵＢ２０の他端部には把持部５ＵＢ２１が設けられ、把持部５ＵＢ２１の形状は把持機能を向上させることや十分な把持効果を備えることを目的に略楕円形状５ＵＢ２４に形成され、把持部５ＵＢ２１の端部には孔部５ＵＢ２５を形成する。また、把持部５ＵＢ２１の長さは人の拳二つ分程度になるように設計されることが好ましい。また、接続部５ＵＢ２２と把持部５ＵＢ２１との間にはクランク形状部または湾曲形状部が形成されることが好ましく、この実施例ではクランク形状部５ＵＢ２３が形成される。
【実施例６】
【００３６】  図６より本考案の第六形態例を説明すると、５ＵＣは、魚類の鱗を削り取る道具であり、ステンレス製で平板状の鱗取り部５ＵＣ１０とステンレス製で細長板体の柄部５ＵＣ２０とで構成されるうろこ取り具である。鱗取り部５ＵＣ１０の厚さは、この実施例では、１〜２ｍｍの範囲で可撓性が比較的ないようにという条件で選択される。５ＵＣ１１は鱗取り部５ＵＣ１０の先端部であり、鱗取り部先端部５ＵＣ１１の形状は略９０度の角度になるように形成され、５ＵＣ１２は鱗取り部５ＵＣ１０の後端部であり、鱗取り部後端部５ＵＣ１２の形状は略直線状に形成される。従って、鱗取り部先端部５ＵＣ１１と鱗取り部後端部５ＵＣ１２とは対向する位置関係になるので、鱗取り部後端部５ＵＣ１２の形状が略直線状になることは、実施例１の鱗取り部後端部４ＵＡ１２の四角形状の角度部を削除した形状になり、結果的に鱗取り部５ＵＣ１０の形状は五角形になることになる。柄部５ＵＣ２０の他端部には把持部５ＵＣ２１が設けられ、把持部５ＵＣ２１が形成される手段は、把持部５ＵＣ２１の直線部として人の掌二つ分程度に設計された把持部直線部５ＵＣ２４と、柄部５ＵＣ２０の細長板体を略湾曲状に形成した湾曲状部５ＵＣ２５と、柄部５ＵＣ２０の細長板体を略波形状に形成した波形状部５ＵＣ２６で連設するように形成することで把持機能を向上させることや十分な把持効果を備えることを特徴とする。また、接続部５ＵＣ２２と把持部５ＵＣ２１との間にはクランク形状部または湾曲形状部が形成されることが好ましく、この実施例ではクランク形状部５ＵＣ２３が形成される。
【実施例７】
【００３７】  図７より本考案の第七形態例を説明すると、４ＵＤは、魚類の鱗を削り取る道具であり、ステンレス製で平板状の鱗取り部４ＵＤ１０とステンレス製で棒状体の柄部４ＵＤ２０とで構成されるうろこ取り具である。鱗取り部４ＵＤ１０の形状は四角形になるように形成され、厚さが１〜２ｍｍの範囲で可撓性が比較的ないように選択され、４ＵＤ１１は鱗取り部４ＵＤ１０の先端部であり四角形状の角度部の近傍を示し、鱗取り部先端部４ＵＤ１１の近傍には、合成樹脂材料や合成ゴム材料を被装する場合の、より強力に及び効果的に被装する手段の一つとして、鱗取り部４ＵＤ１０の平板を貫通するように形成する孔部４ＵＤ１３を設け、４ＵＤ１２は鱗取り部４ＵＤ１０の後端部であり四角形状の角度部の近傍を示し、鱗取り部後端部４ＵＤ１２の近傍には、合成樹脂材料や合成ゴム材料を被装する場合の、より強力に及び効果的に被装する手段の一つとして、鱗取り部４ＵＤ１０の平板を貫通するように形成する孔部４ＵＤ１４を設ける。柄部４ＵＤ２０はステンレス製の棒状体を比較的可撓性がないような寸法から選択され、柄部４ＵＤ２０の長さは人の拳三つ分程度になるように設計され、また柄部４ＵＤ２０の一端部には鱗取り部４ＵＤ１０の任意の部位に固着される接続部４ＵＤ２２が形成され、この実施例では接続部４ＵＤ２２の形状は鱗取り部４ＵＤ１０に固着されやすいように平板状に形成され、また柄部４ＵＤ２０の他端部には把持部４ＵＤ２１が設けられ、把持部４ＵＤ２１の端部には、うろこ取り具４ＵＤの利用者が把持部４ＵＤ２１を把持した時の滑り止め機能として細板状に形成される把持部端部４ＵＤ２４が設けられる。また、把持部端部４ＵＤ２４の形状は、例えば把持部４ＵＤ２１を合成樹脂材料や合成ゴム材料で被装する場合の、より強力かつ効果的な被装手段の一つとして機能する。また、把持部４ＵＤ２１の長さは人の拳二つ分程度になるように設計されることが好ましい。また、接続部４ＵＤ２２と把持部４ＵＤ２１との間にはクランク形状部または湾曲形状部が形成されることが好ましく、この実施例では湾曲形状部４ＵＤ２３が形成される。
【実施例８】
【００３８】  図８より本考案の第八形態例を説明すると、４ＵＥは、魚類の鱗を削り取る道具であり、ステンレス製で平板状の鱗取り部４ＵＥ１０とステンレス製で細長薄板状の柄部４ＵＥ２０とで構成されるうろこ取り具である。鱗取り部４ＵＥ１０の形状は四角形になるように形成され、厚さが１〜２ｍｍの範囲で可撓性が比較的ないように選択され、４ＵＥ１１は鱗取り部４ＵＥ１０の先端部であり四角形状の角度部の近傍を示し、鱗取り部先端部４ＵＥ１１の近傍には、合成樹脂材料や合成ゴム材料を被装する場合の、より強力に及び効果的に被装する手段の一つとして、鱗取り部４ＵＥ１０の平板を貫通するように形成する孔部４ＵＥ１３を設け、４ＵＥ１２は鱗取り部４ＵＥ１０の後端部であり四角形状の角度部の近傍を示し、鱗取り部後端部４ＵＥ１２の近傍には、合成樹脂材料や合成ゴム材料を被装する場合の、より強力に及び効果的に被装する手段の一つとして、鱗取り部４ＵＥ１０の平板を貫通するように形成する孔部４ＵＥ１４を設ける。柄部４ＵＥ２０はステンレス製の細長板体を比較的可撓性がないような寸法から選択され、柄部４ＵＥ２０の一端部には鱗取り部４ＵＥ１０の任意の部位に固着される接続部４ＵＥ２２が形成され、この実施例では接続部４ＵＥ２２の形状は鱗取り部４ＵＥ１０に固着されやすいように平板状に形成される。柄部４ＵＥ２０の他端部には把持部４ＵＥ２１が設けられ、把持部４ＵＥ２１が形成される手段は、把持部４ＵＥ２１の直線部として人の掌二つ分程度に設計された把持部直線部４ＵＥ２４と、柄部４ＵＥ２０の細長板体を略湾曲状に形成した湾曲状部４ＵＥ２５と、柄部４ＵＥ２０の細長板体を略波形状に形成した波形状部４ＵＥ２６で連設するように形成することで把持機能を向上させることや十分な把持効果を備えることを特徴とする。また、接続部４ＵＥ２２と把持部４ＵＥ２１との間にはクランク形状部または湾曲形状部が形成されることが好ましく、この実施例ではクランク形状部４ＵＥ２３が形成される。
【実施例９】
【００３９】  図９より本考案の第九形態例を説明すると、５ＵＤは、魚類の鱗を削り取る道具であり、ステンレス製で平板状の鱗取り部５ＵＤ１０とステンレス製で棒状体の柄部５ＵＤ２０とで構成されるうろこ取り具である。鱗取り部５ＵＤ１０の厚さは、この実施例では、１〜２ｍｍの範囲で可撓性が比較的ないようにという条件で選択される。５ＵＤ１１は鱗取り部５ＵＤ１０の先端部であり、鱗取り部先端部５ＵＤ１１の形状は略９０度の角度になるように形成され、５ＵＤ１２は鱗取り部５ＵＤ１０の後端部であり、鱗取り部後端部５ＵＤ１２の形状は略直線状に形成される。従って、鱗取り部先端部５ＵＤ１１と鱗取り部後端部５ＵＤ１２とは対向する位置関係になるので、鱗取り部後端部５ＵＤ１２の形状が略直線状になることは、実施例１の鱗取り部後端部４ＵＡ１２の四角形状の角度部を削除した形状になり、結果的に鱗取り部５ＵＤ１０の形状は五角形になることになる。鱗取り部先端部５ＵＤ１１の近傍には、合成樹脂材料や合成ゴム材料を被装する場合の、より強力に及び効果的に被装する手段の一つとして、鱗取り部５ＵＤ１０の平板を貫通するように形成する孔部５ＵＤ１３を設け、鱗取り部後端部５ＵＤ１２の近傍には、合成樹脂材料や合成ゴム材料を被装する場合の、より強力に及び効果的に被装する手段の一つとして、鱗取り部５ＵＤ１０の平板を貫通するように形成する孔部５ＵＤ１４を設ける。柄部５ＵＤ２０はステンレス製の棒状体を比較的可撓性がないような寸法から選択され、柄部５ＵＤ２０の長さは人の拳三つ分程度になるように設計され、また柄部５ＵＤ２０の一端部には鱗取り部５ＵＤ１０の任意の部位に固着される接続部５ＵＤ２２が形成され、この実施例では接続部５ＵＤ２２の形状は鱗取り部５ＵＤ１０に固着されやすいように平板状に形成され、また柄部５ＵＤ２０の他端部には把持部５ＵＤ２１が設けられ、把持部５ＵＤ２１の端部には、うろこ取り具５ＵＤの利用者が把持部５ＵＤ２１を把持した時の滑り止め機能として細板状に形成される把持部端部５ＵＤ２４が設けられる。また、把持部端部５ＵＤ２４は、把持部５ＵＤ２１を合成樹脂材料や合成ゴム材料を被装する場合の、より強力に及び効果的に被装する手段の一つとして機能する。また、把持部５ＵＤ２１の長さは人の拳二つ分程度になるように設計されることが好ましい。また、接続部５ＵＤ２２と把持部５ＵＤ２１との間にはクランク形状部または湾曲形状部が形成されることが好ましく、この実施例では湾曲形状部５ＵＤ２３が形成される。
【実施例１０】
【００４０】  図１０より本考案の第十形態例を説明すると、５ＵＥは、魚類の鱗を削り取る道具であり、ステンレス製で平板状の鱗取り部５ＵＥ１０とステンレス製で細長板体の柄部５ＵＥ２０とで構成されるうろこ取り具である。鱗取り部５ＵＥ１０の厚さは、この実施例では、１〜２ｍｍの範囲で可撓性が比較的ないようにという条件で選択される。５ＵＥ１１は鱗取り部５ＵＥ１０の先端部であり、鱗取り部先端部５ＵＥ１１の形状は略９０度の角度になるように形成され、５ＵＥ１２は鱗取り部５ＵＥ１０の後端部であり、鱗取り部後端部５ＵＥ１２の形状は略直線状に形成される。従って、鱗取り部先端部５ＵＥ１１と鱗取り部後端部５ＵＥ１２とは対向する位置関係になるので、鱗取り部後端部５ＵＥ１２の形状が略直線状になることは、実施例１の鱗取り部後端部４ＵＡ１２の四角形状の角度部を削除した形状になり、結果的に鱗取り部５ＵＥ１０の形状は五角形になることになる。鱗取り部先端部５ＵＥ１１の近傍には、合成樹脂材料や合成ゴム材料を被装する場合の、より強力に及び効果的に被装する手段の一つとして、鱗取り部５ＵＥ１０の平板を貫通するように形成する孔部５ＵＥ１３を設け、鱗取り部後端部５ＵＥ１２の近傍には、合成樹脂材料や合成ゴム材料を被装する場合の、より強力に及び効果的に被装する手段の一つとして、鱗取り部５ＵＥ１０の平板を貫通するように形成する孔部５ＵＥ１４を設ける。柄部５ＵＥ２０の他端部には把持部５ＵＥ２１が設けられ、把持部５ＵＥ２１が形成される手段は、把持部５ＵＥ２１の直線部として人の掌二つ分程度に設計された把持部直線部５ＵＥ２４と、柄部５ＵＥ２０の細長板体を略湾曲状に形成した湾曲状部５ＵＥ２５と、柄部５ＵＥ２０の細長板体を略波形状に形成した波形状部５ＵＥ２６で連設するように形成することで把持機能を向上させることや十分な把持効果を備えることを特徴とする。また、接続部５ＵＥ２２と把持部５ＵＥ２１との間にはクランク形状部または湾曲形状部が形成されることが好ましく、この実施例ではクランク形状部５ＵＥ２３が形成される。【００４２】  上記実施の形態の説明は、本考案を説明するためのものであって、実用新案登録請求の範囲に記載の考案を限定し、或は範囲を減縮するものではない。また、本考案の各部構成は上記実施の形態に限らず、実用新案登録請求の範囲に記載の技術的範囲内で種々の変形が可能である。
【産業上の利用可能性】
【００４３】  本考案のうろこ取り具は、合成樹脂材料や合成ゴム材料を被装しても、しなくても製品化が可能なので、汎用性の高いうろこ取り具が提供できる。
【図面の簡単な説明】
【００４４】
【図１】本考案の第一形態例を示す概略説明図である。
【図２】本考案の第二形態例を示す概略説明図である。
【図３】本考案の第三形態例を示す概略説明図である。
【図４】本考案の第四形態例を示す概略説明図である。
【図５】本考案の第五形態例を示す概略説明図である。
【図６】本考案の第六形態例を示す概略説明図である。
【図７】本考案の第七形態例を示す概略説明図である。
【図８】本考案の第八形態例を示す概略説明図である。
【図９】本考案の第九形態例を示す概略説明図である。
【図１０】本考案の第十形態例を示す概略説明図である。
【符号の説明】
【００４５】４ＵＡ：うろこ取り具
４ＵＡ１０：鱗取り部    ４ＵＡ１１：鱗取り部先端部    ４ＵＡ１２：鱗取り部後端部
４ＵＡ２０：柄部    ４ＵＡ２１：把持部    ４ＵＡ２２：接続部
４ＵＡ２３：湾曲形状部    ４ＵＡ２４：把持部端部
４ＵＢ：うろこ取り具
４ＵＢ１０：鱗取り部    ４ＵＢ１１：鱗取り部先端部    ４ＵＢ１２：鱗取り部後端部
４ＵＢ２０：柄部    ４ＵＢ２１：把持部    ４ＵＢ２２：接続部
４ＵＢ２３：クランク形状部    ４ＵＢ２４：略楕円形状    ４ＵＢ２５：孔部
４ＵＣ：うろこ取り具
４ＵＣ１０：鱗取り部    ４ＵＣ１１：鱗取り部先端部    ４ＵＣ１２：鱗取り部後端部
４ＵＣ２０：柄部    ４ＵＣ２１：把持部    ４ＵＣ２２：接続部
４ＵＣ２３：クランク形状部    ４ＵＣ２４：把持部直線部
４ＵＣ２５：湾曲状部    ４ＵＣ２６：波形状部
５ＵＡ：うろこ取り具
５ＵＡ１０：鱗取り部    ５ＵＡ１１：鱗取り部先端部    ５ＵＡ１２：鱗取り部後端部
５ＵＡ２０：柄部    ５ＵＡ２１：把持部    ５ＵＡ２２：接続部
５ＵＡ２４：把持部端部    ５ＵＡ２３：湾曲形状部
５ＵＢ：うろこ取り具
５ＵＢ１０：鱗取り部    ５ＵＢ１１：鱗取り部先端部    ５ＵＢ１２：鱗取り部後端部
５ＵＢ２０：柄部    ５ＵＢ２１：把持部    ５ＵＢ２２：接続部
５ＵＢ２３：クランク形状部    ５ＵＢ２４：略楕円形状    ５ＵＢ２５：孔部
５ＵＣ：うろこ取り具
５ＵＣ１０：鱗取り部    ５ＵＣ１１：鱗取り部先端部    ５ＵＣ１２：鱗取り部後端部
５ＵＣ２０：柄部    ５ＵＣ２１：把持部    ５ＵＣ２２：接続部
５ＵＣ２３：クランク形状部    ５ＵＣ２４：把持部直線部
５ＵＣ２５：湾曲状部    ５ＵＣ２６：波形状部
４ＵＤ：うろこ取り具
４ＵＤ１０：鱗取り部    ４ＵＤ１１：鱗取り部先端部
４ＵＤ１２：鱗取り部後端部    ４ＵＤ１３：孔部    ４ＵＤ１４：孔部
４ＵＤ２０：柄部    ４ＵＤ２１：把持部    ４ＵＤ２２：接続部
４ＵＤ２３：湾曲形状部    ４ＵＤ２４：把持部端部
４ＵＥ：うろこ取り具
４ＵＥ１０：鱗取り部    ４ＵＥ１１：鱗取り部先端部
４ＵＥ１２：鱗取り部後端部    ４ＵＥ１３：孔部    ４ＵＥ１４：孔部
４ＵＥ２０：柄部    ４ＵＥ２１：把持部    ４ＵＥ２２：接続部
４ＵＥ２４：把持部直線部    ４ＵＥ２５：湾曲状部
４ＵＥ２６：波形状部    ４ＵＥ２３：クランク形状部
５ＵＤ：うろこ取り具
５ＵＤ１０：鱗取り部    ５ＵＤ１１：鱗取り部先端部
５ＵＤ１２：鱗取り部後端部    ５ＵＤ１３：孔部    ５ＵＤ１４：孔部
５ＵＤ２０：柄部    ５ＵＤ２１：把持部    ５ＵＤ２２：接続部
５ＵＤ２３：湾曲形状部    ５ＵＤ２４：把持部端部
５ＵＥ：うろこ取り具
５ＵＥ１０：鱗取り部    ５ＵＥ１１：鱗取り部先端部
５ＵＥ１２：鱗取り部後端部    ５ＵＥ１３：孔部    ５ＵＥ１４：孔部
５ＵＥ２０：柄部    ５ＵＥ２１：把持部    ５ＵＥ２２：接続部
５ＵＥ２３：クランク形状部    ５ＵＥ２４：把持部直線部
５ＵＥ２５：湾曲状部    ５ＵＥ２６：波形状部
【図１】
0003197211.tif 000003
【図２】
0003197211.tif 000004
【図３】
0003197211.tif 000005
【図４】
0003197211.tif 000006
【図５】
0003197211.tif 000007
【図６】
0003197211.tif 000008
【図７】
0003197211.tif 000009
【図８】
0003197211.tif 000010
【図９】
0003197211.tif 000011
【図１０】
0003197211.tif 000012